(57)【要約】【目的】  通常の時計より速く進む時計、遅く進む時計を提案する。【構成】  五番車５にはステップモータ４の歯車４ｃと噛み合う歯車５ｂと、歯車５ｂを固定されたスプライン軸部５ｃを有する軸５ａと、スプライン軸部５ａに対して軸方向に移動自在に嵌合し、四番歯車６ｃ，６ｄに選択的に噛み合う歯車５ｃ，５ｅを有する。歯車６ｄ，５ｄの噛み合いによって、標準時間で時を刻む。歯車６ｃ，５ｅの噛み合いによって、標準時間より早く時を刻む。つまみ１２ｂは時計の外側にあって、シフタ１１を介して歯車５ｄ，５ｅを移動する。実際の７時間経過に対して１時間速く進んで８時間後の時を示すようにすると、８時間分の仕事を７時間でなしとげる訓練ができる。標準時間よりも遅く進むように歯車５ｅ，６ｃを設定すると、スローライフ、悠々人生を楽しむことができる。【選択図】  図１
2008304301.tif 000002
【特許請求の範囲】
【請求項１】
指針式時計において選択的に四番車が一分間に一回転する又は一分間よりも長いもしくは短い時間で一回転する駆動手段を有することを特徴とする指針式時計。
【請求項２】
四番車と五番車に設けられた四番歯車と五番歯車を異なる歯車比で選択的に噛み合う複数の歯車対を駆動手段に介在したことを特徴とする指針式時計。
【請求項３】
駆動手段の駆動源を選択的に変速可能な原動機としたことを特徴とする請求項１に記載の指針式時計。
【請求項４】
選択的に複数のパルス幅のパルス発生手段を有し、原動機は複数のパルス幅の選択された１つのパルスで駆動されるステップモータであることを特徴とする請求項３に記載の指針式時計。
【発明の詳細な説明】
【技術分野】
【０００１】
この発明は通常の時計より速く進む時計又は遅く進む時計に関する。
【背景技術】
【０００２】
時間は空間と共にその意義について哲学的考察が多く見られる。実用上は人類の約束事として太陽暦が用いられている。即ち、地球の自転周期を１日とし、１日を２４等分してその１つを１時間とし、１時間を６０等分してその１つを１分とし、１分を６０等分してその１つを１秒としている。
【０００３】
このような時間を人の視覚でもって認識させる機械が時計である。時計は通常６０分の１回転により１秒を示す秒針、６０分の１回転により１分を示す分針、１２分の１回転により１時間を示す時針を備えている。
【０００４】
これによって人々は時間の認識を一致させることにより、人々夫々の行動に一致点を見い出している。
【発明の開示】
【発明が解決しようとする課題】
【０００５】
人々夫々が係わる関係する行動、例えば、（１）航空機、鉄道、バス、等の運行スケジュール（２）企業の始業時間、終業時間、昼休みの開始、終了時間（３）役所、銀行等の金融機関の業務開始時間、終了時間（４）演劇、スポーツ施設の開演時間、（５）人の待合せ時間等は共通の時間尺度でなければ混乱が生じる。従って、共通の刻時手段として時計は夫々同一の標準時刻を表示しなければならない。
【０００６】
しかし、個人又は限られた複数の人達のみが関係する事柄については標準時刻が必要であろうかという疑問が生ずる。
【０００７】
この発明は個人又は限られた人達のみが関係する事柄について標準時刻を示す時計よりも速く進む時計又は遅く進む時計を提供することにより上記疑問に答えるものである。
【課題を解決するための手段】
【０００８】
通常普通の時計は、７時間後には７時間後の時刻を示すが、この時計は通常より速く進む設定にすると、たとえばこの時計で示す８時間後に標準時間の７時間後を示す事が可能である。また、通常よりも遅く進む設定にすれば、この時計で示す７時間後に標準時間の８時間後を示すこともできる自分で速くも遅くもできる時計である。
【０００９】
本出願に係る第１の発明は指針式時計において選択的に四番車が一分間に一回転する又は一分間よりも長いもしくは短い時間で一回転する駆動手段を有することを特徴とする指針式時計である。
【００１０】
本出願に係る第２の発明は四番車と五番車に設けられた四番歯車と五番歯車を異なる歯車比で選択的に噛み合う複数の歯車対を駆動手段に介在したことを特徴とする指針式時計である。
【００１１】
本出願に係る第３の発明は駆動手段の駆動源を選択的に変速可能な原動機としたことを特徴とする第１の発明に記載の指針式時計である。
【００１２】
本出願に係る第４の発明は選択的に複数のパルス幅のパルス発生手段を有し、原動機は複数のパルス幅のを選択された１つのパルスで駆動されるステップモータであることを特徴とする第３の発明に記載の指針式時計である。
【発明の効果】
【００１３】
この発明の時計によればたとえば、実際の７時間経過に対して１時間速く進んで８時間後の時を示すので、８時間分の仕事を７時間でなしとげる訓練をする事が出来る。
また、受験生なんかがこの時計で勉強すると８時間分の勉強を７時間でできるようになるかもしれない。
余分の１時間を何に使うか。
時計は従来正確さがひとつの売りだったがこの時計は正確でない。
決められた時間の中でがんばるというか。
また、精神的に落ち込んでいて立ち直らせる為に遅く設定してちゃんと出来ているじゃないかと自信をつけさせながら通常の時刻に戻していく使い方もある。
スポーツ選手のコーチなんかには良いかもしれない。
この時計は、自分で時間を創出していくと言う考え方が身に付く時計になっている。
時間に縛られるのではなく、自分が時間を操っていくと言う考え方からできている。
ビジネスマン、受験生、予備校の時計、スポーツ、研修等いろんなところで使い方がある。
実際の７時間経過に対して１時間遅く６時間後の時を示す場合は人生をたのしむ。スローライフ、悠々人生を自ら創出できる。
【実施例】
【００１４】
（実施例１）
図１はアナログ時計の輪列構造を示している。  図１において、地板１に対向して各輪列の軸を支持する軸受板２が地板１に固定して設けてある。地板１には文字板３が固定されている。地板１と軸受板２間に設けられた輪列は輪列の各軸が地板１と軸受板２に支持されている（各軸を支持する軸受は図略）。
【００１５】
駆動源であるステップモータ４のロータ４ａの軸４ｂに歯車４ｃが設けてある。軸４ｂは地板１と軸受板２に回転自在に支持されている。地板１にはステップモータ４のステータ４ｄが固定されている。ステップモータ４は図示されないが電源及びパルス制御手段により一定幅のパルスを加えられて回転する。
【００１６】
五番車５は地板１と軸受板２に回転自在に両端が支持された五番軸５ａと、五番軸５ａに固定されステップモータの歯車４ｂと噛み合う五番大歯車５ｂと、五番軸５ａのスプライン軸部５ｃにスプライン穴が嵌合して軸方向移動自在に支持されている五番小歯車５ｄ，５ｅとを有する。五番小歯車５ｄ，５ｅは一体物である。
【００１７】
五番小歯車５ｅは四番歯車６ｃと噛み合い可能な位置に有ってスプライン軸部５ｃ上を移動して四番歯車６ｃと噛み合う。五番小歯車５ｄは四番歯車６ｄと噛合っており、スプライン軸部５ｃ上を移動してこの噛合が外れる。
【００１８】
四番車６は軸６ａと、四番歯車６ｃ，６ｄを有する。四番歯車６ｃ，６ｄは夫々軸６ａに固定されている。軸６ａは秒針（図示されない）を取り付ける軸である。軸６ａは軸受板２と二番車７に回転自在に支持されている。
【００１９】
四番車６から図示されない三番車を介して駆動され分を示す二番車７は筒状であってその軸部７ａが地板１に固定された軸受８に回転自在に支持されている。軸部７ａには図示されない分針が取り付けられる。二番車７は二番歯車７ｂを有する。二番歯車７ｂは小歯車である。軸受８には筒車１６が回転自在に支持されている。
【００２０】
日の裏車９は軸９ａと、軸９ａに一体の又は段付軸９ａに固定された日の裏歯車９ｂ，９ｃを有する。軸９ａは地板１と軸受板２に回転自在に支持されている。
【００２１】
二番歯車７ｂと日の裏歯車９ｂが噛み合っている。日の裏歯車９ｃと筒車１６に備える歯車１６ａが噛み合っている。筒車１６には図示されない時針が取り付けられる。
【００２２】
一体に作られている五番小歯車５ｄ，５ｅにはシフタ１１が五番小歯車５ｅの両側に嵌合している。シフタ１１を固定した支持軸１２は断面が正四角形部１２ａを有する。正四角形部１２ａの端につまみ１２ｂを備えている。正四角形部１２ａは軸受板２に設けた正方形の穴２ａに軸方向に移動自在に嵌合している。
【００２３】
正四角形部１２ａには凹部１２ｃ，１２ｄが設けてある。図の状態では凹部１２ｄにボール１３が嵌まり込んでいる。ボール１３は軸受板２の穴２ｂに嵌入し、同穴２ｂに挿入された圧縮コイルばね１４により凹部１２ｄに向って加圧されている。該ばね１４は穴２ｂの口部にねじ込まれた栓１５により締め込まれている。
【００２４】
上記構成により、つまみ１２ｂを移動させると、正四角形部１２ａは穴２ａにガイドされて軸方向に移動する。これによって、正四角形部１２ａの先端部に固定されたシフタ１１はスプライン軸部５ｃ上で歯車５ｄ，５ｅを軸方向に移動して選択的に四番車の歯車６ｃ，６ｄと噛み合う。これら歯車の噛み合い位置においては、ばね１４のばね力でボール１３は選択的に凹部１２ｃ，１２ｄにはまる。
【００２５】
図１の状態ではステップモータ４が駆動されると、歯車４ｃから五番大歯車５ｂに回転が伝えられ、五番車５は回転する。これにより、五番小歯車５ｄは回転し、四番歯車６ｄに回転を伝える。これにより四番車６は回転する。
【００２６】
五番小歯車５ｄと四番歯車６ｄの歯数比はステップモータ４の回転により、軸６ａが１分間に１回転する歯数比になっている。
【００２７】
つまみ１２ｂを図１において上方へ引くとシフタ１１は同方向へ同量移動し、五番小歯車５ｄは四番歯車６ｄとの噛み合いが外れる。更につまみ１２ｂを上方に引くと五番小歯車５ｅは四番歯車６ｃと噛み合う。このとき、ボール１３は圧縮コイルばね１４のばね力で凹部１２ｃにはまり込む。この状態でステップモータ４が回転すると軸６ａは回転する。この場合の五番車５と四番車６における歯車５ｅ，６ｃの歯車比は歯車５ｄ，６ｄの歯車比（減速比となっている）よりも減速比が小さくなるように設定されている。従って、歯車５ｅ，６ｃが噛み合っているとき軸６ａは１回転するのに標準時間の１分よりも早く回転する。
【００２８】
二番車（分軸）７は図示されない三番車を介して軸６ａの一回転に対して６０分の１回転する。
【００２９】
筒車１６は二番車７から日の裏車９を介して、二番車７の１回転に対して１２分の１回転する。
【００３０】
従って、歯車５ｅ，６ｃが噛み合っている状態におけるこの時計を見る観者は標準時間よりも短い単位時間を自己の標準時間として行動する。この場合、この時計を利用する者は、一定時間が標準時間よりも短く設定されていることを認識している場合と、認識していない場合が考えられる。認識してこの実施例の時計を用いる者は、何かの目的を達成することを意図的に努力しようとする者である。認識していない者は知らずして何かの目的をより早く達成しようとする。受験生なんかがこの時計で勉強すると、例えば８時間分の勉強を７時間でできるようになるかも知れない。
【００３１】
図１において、五番車５の歯車５ｄよりも歯車５ｅを小径とし、四番歯車６ｃを小径とされた歯車５ｅに噛み合い可能とするように拡径すると、小径とされた五番歯車５ｅと拡径された四番歯車６ｃの噛み合いにより、軸６ａは１回転するのに標準時間の１分間よりも長い時間を要する。このとき観者は標準時間よりも長い単位時間を自己の標準時間として行動する。この場合時計を利用する者は、一定時間が標準時間よりも長く設定されていることを認識している場合と、認識していない場合が考えられる。認識して実施例の時計を用いる者は、意図的に悠々生活をしようとする者である。認識していない者は、日常生活において知らずして余裕のある感覚を得る。また、精神的に落ち込んでいて立ち直らせる為に遅く設定してちゃんと出来ているじゃないかと自信をつけさせながら通常の時刻に戻していく使い方もある。
【００３２】
１つの時計で標準時間よりも早い時刻を刻む時計と遅い時刻を刻む時計の両者を兼ねるには、図２に示すように五番車５と四番車６を３段の歯車対を有するものとしてもよい。スプライン軸部５ｃ上を軸方向に移動可能な五番歯車５ｄ，５ｅ，５ｆは一体となっている。四番車６には五番歯車５ｆと噛み合い可能な四番歯車６ｄが図１に対して追加して設けられている。
【００３３】
図２において歯車５ｄ，６ｄが噛み合っている。つまみ１２ｂを上方へ引くとスプライン軸部５ｃ上を歯車５ｄ，５ｅ，５ｆが移動し、歯車５ｄ，６ｄの噛み合いが外れる。このとき、ボール１３は凹部１２ｄからばね１４のばね力に抗して外れる。つまみ１２ｂを更に上方へ引くと歯車５ｅ，６ｃが噛み合う。このときボール１３はばね１４で凹部１２ｃに嵌り込む。以上の動作は、図１と同様である。更に又、つまみ１２ｂを引き上げると歯車５ｅ，６ｃの噛み合いが外れる。このとき、ボール１３はばね１４のばね力に抗して凹部１２ｃから外れる。つまみ１２ｂの引き上げを続けると、歯車５ｆ，６ｄが噛み合う。この位置ではボール１３はばね力で凹部１２ｅに嵌り込む。
【００３４】
この場合、歯車５ｄ，６ｄの噛み合いで指針は標準時間を示す。歯車５ｅ，６ｃの噛み合いで指針は標準時間よりも短い一定時間を示す。歯車５ｆ，６ｄの噛み合いで指針は標準時間よりも長い一定時間を示す。
【００３５】
実施例１では駆動源の原動機としてステップモータを用いたが、原動機はぜんまいでもよい。また、パルス電流により磁化される磁心により揺動する永久磁石でアンクルとガンギ車で駆動するようにしてもよい。
【００３６】
上記で指針式時計において選択的に四番車が一分間に一回転する又は一分間よりも長いもしくは短い時間で一回転する駆動手段を有する指針式時計を説明した。具体的には四番車と五番車に設けられた四番歯車と五番歯車を異なる歯車比で選択的に噛み合う複数の歯車対を駆動手段に介在したことを説明した。
（実施例２）
実施例１では四番車と五番車間を複数の歯車比を有する歯車対を設け、何れか１つの歯車列を選択的に噛み合わせることとした。
【００３７】
実施例２では四番車６は四番歯車６ｄのみを有する。五番車５は五番小歯車５ｄのみを有する。四番歯車６ｄと五番歯車５ｄは常時噛み合っている。即ち、通常の時計の歯車列となっている。実施例２ではステップモータ４に加えるパルス幅を可変としてある。
【００３８】
図３は実施例３を示すステップモータの駆動回路を示すブロック図である。時計用基本周波数３２，７６８Ｈｚを発振する発振回路２１は選択的に分周回路２３ａ，２３ｂ，２３ｃに連通される切替スイッチ２２を介して分周回路２３ａ，２３ｂ，２３ｃの何れか１つに通ずるようにしてある。分周回路２３ａは１５段のフリップフロップからなる。分周回路２３ｂは１４段のフリップフロップからなる。分周回路２３ｃは１６段のフリップフロップからなる。フリップフロップを１６段のもの１つとしておいて最初の３段を選択的に発振回路２１に結んでもよく、最後の３段を選択的に波形整形回路２４に結合してもよい。最後の３段を選択的に波形整形回路２４に結ぶ場合は、スイッチ２２は波形整形回路２４の入力側に置かれる。
【００３９】
スイッチ２２は時計を操作する者が操作できるようにその操作部（例えば、つまみ）は時計の外部に露出している。
【００４０】
波形整形回路２４はスイッチ２２で選択された分周回路２３ａ，２３ｂ，２３ｃの出力が与えられ、波形整形回路２４は三種の波形の何れか１つのパルスを出力する。この出力パルスは駆動回路２５により電力の増幅がされ、ステップモータ４のコイルに供給される。
【００４１】
分周回路２３ａが用いられると時計は標準時間を示す。分周回路２３ｂが用いられると時計は標準時間よりもより早く時間経過を示す。分周回路２３ｃが用いられると標準時間よりも遅い時間経過を示す。
【００４２】
上記で駆動手段の駆動源を変速可能な原動機とした指針式時計を説明した。
【００４３】
具体的には選択的に複数のパルス幅のパルス発生手段を有し、原動機は複数のパルス幅の選択された１つのパルスで駆動されるステップモータであることを説明した。
【図面の簡単な説明】
【００４４】
【図１】本発明の指針式時計の実施例１の縦断面図である。
【図２】本発明の指針式時計の実施例１の縦断面図である。
【図３】本発明の指針式時計の実施例２の原動機の駆動手段を示すブロック図である。
【符号の説明】
【００４５】
１…地板
２…軸受板  ２ａ，２ｂ…穴  
３…文字板
４…ステップモータ  ４ａ…ロータ  ４ｂ…軸  ４ｃ…歯車  
５…五番車  ５ａ…五番軸  ５ｂ…五番大歯車  ５ｃ…スプライン軸部  ５ｄ，５ｅ，５ｆ…五番小歯車  
６…四番車  ６ａ…軸  ６ｃ，６ｄ，６ｅ…四番歯車
７…二番車  ７ａ軸部  ７ｂ…二番歯車
８…軸受
９…日の裏車  ９ａ…軸  ９ｂ，９ｃ…日の裏歯車
１１…シフタ
１２…支持軸  １２ａ…正四角形部  １２ｂ…つまみ  １２ｃ，１２ｄ，１２ｅ…凹部
１３…ボール
１４…圧縮コイルばね
１５…栓
１６…筒車  １６ａ…歯車
【図１】
2008304301.tif 000003
【図２】
2008304301.tif 000004
【図３】
2008304301.tif 000005